【事件の表示】
　特願２００９−１１７９４１号「エンボス加工クレープ紙」拒絶査定不服審判事件〔平成２１年　８月１３日出願公開、特開２００９−１７８５７２号、請求項の数（６）〕について、次のとおり審決する。
【結　論】
　原査定を取り消す。
　本願の発明は、特許すべきものとする。
【理　由】
１．手続の経緯・本願発明
　本願は、平成１８年６月７日（優先権主張平成１７年６月９日）に出願した特願２００６−１５８８４２号の一部を平成２１年５月１４日に新たな特許出願としたものであって、平成２４年６月２９日付けで拒絶査定がされ、この査定に対し、平成２４年９月２８日に本件審判が請求されたものであり、その請求項１に係る発明（以下「本願発明」という。）は、平成２３年１２月２７日付けの手続補正により補正された特許請求の範囲の請求項１に記載された事項により特定される次のとおりのものと認める。
　「【請求項１】
　クレープ原紙にエンボス加工を施してなるエンボス加工クレープ紙であって、坪量が６〜２８ｇ／ｍ２であり、かつ、高低差０．０１〜３．００ｍｍで４〜２００個／ｃｍ２のエンボス形状を有し、保湿成分をパルプ当たり１〜１００％含有し、２枚重ねで測定したときの見掛け密度（荷重下）が０．１３ｇ／ｃｍ３以下、柔軟度が４０ｍＮ／１００ｍｍ以下、縦方向の引張強さが裂断長に換算して０．１５〜１．５ｋｍであることを特徴とする、エンボス加工クレープ紙。」
　
２．引用刊行物とその記載事項
（１）原査定の拒絶の理由に引用された、本願の優先日前に頒布された刊行物である特開２００３−１９９６８７号公報（以下、「刊行物１」という。）には、トイレット用巻取衛生ロール紙に関し、図面とともに、次の事項が記載されている。
　（ア）「【請求項１】ダブルエンボス加工が施された二枚重ね以上のトイレット用巻取衛生ロール紙であって、巻き密度が０．８２０〜０．９７０ｍ／ｃｍ２であることを特徴とするトイレット用巻取衛生ロール紙。」
　（イ）「【０００１】
【発明の属する技術分野】本発明は、いわゆるトイレットペーパーロールなどのトイレット用巻取衛生ロール紙に関する。」
　（ウ）「【０００２】
【従来の技術】トイレットロールは、直接そのトイレットペーパーが肌に当たるので、消費者は滑らかさ、肉厚感、弾力感、ふんわり感、柔らかさ、滑らかさといった官能性に優れることを要求し、生産者はトイレットロールの官能性を向上させることが要求される。このようなトイレットロールに対する消費者の要求を満たすべく、ふんわり感や柔らかさを保持しつつ肉厚感や弾力感をもたせやすい２プライまたはダブルなどといわれる二枚重ねの製品が市販に供され、また、近年では、単に二枚重ねにした製品以上に官能性に優れるエンボス加工を施した製品も市販に供されている。かかるエンボス加工の仕様とトイレットロールの官能性とは非常に密接な関係があり、エンボス加工の仕様により人の感じる肉厚感、弾力感、滑らかさ、肌触り感といった官能性が変化する。」
　（エ）「【０００６】即ち、従来の品質測定方法では、トイレットロールに求められている、手触りの滑らかさ、柔らかさ、弾力感、ふんわり感等を十分把握することができず、品質を再現すること、あるいは再現したことを確認することができなかった。紙質データ、ソフトネス及びＭＭＤだけでは、人が感じる微妙な品質が十分把握されてなく、時系列での絶対評価、競合他社品との差異分析も十分にできなかった。
【０００７】
【発明が解決しようとする課題】そこで、本発明の主たる課題は、人の官能評価において優れてマッチし、その官能評価が高く、かつ流通上および使用上の問題点が生じないトイレット用巻取衛生ロール紙を提供することにある。」
　（オ）「【００１６】かかるダブルエンボス加工が施されたトイレットロールは、図２に示されるように、２つの金属製エンボスロールＥ，Ｅを使用し、各金属性エンボスロールとそれと対になる表面がゴムなどの弾性可撓性ロールとの間、あるいは前記エンボスロールＥ，Ｅの凹部に各突起が対応する金属製の雌エンボスロールＲ，Ｒとの間に、それぞれ原紙Ｗ0，Ｗ0をニップしながら通して２枚のエンボス付与原紙Ｔ’，Ｔ’を製造し、そのエンボス加工を施した２枚のエンボス付与原紙Ｔ’，Ｔ’の滑らかな面ｔ，ｔが外側になるように重ねあわせ、その後ロール形態のトイレットロールＴRとすることで製造することができる。」
　（カ）「【００１８】上記の如く施される本発明に係るエンボスの好適例は、図３に示されるように、実質的に平坦な頂面を有し、形状が菱形のものである。・・・図示はされないがエンボス深さは０．５４ｍｍである。・・・本発明に係るトイレットロールでにおいては、頂面Ｐ，Ｐ・・・がトイレットペーパー１０ｍｍ四方にあたり約５０〜１３０個とするのが好適である。」
　（キ）「【００３０】柔らかさ曲げ特性は、引張強度、縦横比、クレープ形状（クレープ率、クレープの高低差等）、水分率、密度、紙力剤の添加等により調整することが可能である。」
　（ク）「【００３５】以上の結果からして、実施例のものは、「ふんわり感」「柔らかさ」「弾力性」「トイレットロール適性」のすべてにおいて、優れていることが判る。」
　（ケ）表１には、実施例として、
紙質データ：米坪１５．８ｇ／ｍ２、紙厚［２プライ］２３４μｍ、密度０．１３５ｇ／ｍ３、クレープ率２２．０％、引張り強さ［縦］２６４．０ＣＮ、引張り強さ［横］１０６．０ＣＮ、引張り強さの縦横比２．４９
製品データ：紙管径３８ｍｍ、巻き長さ４０ｍ、ロール巻径１１３ｍｍ、ロール巻き密度０．８９９ｍ／ｍ２、エンボスの種類ダブル
ロール巻き固さ：ＴＯ−ＴＭ１．８０ｍｍ
柔らかさ曲げ値：Ｂ０．００９０ｇ・ｃｍ２／ｃｍ
圧縮特性：ＬＣ０．４０７０、ＴＭ／ＴＯ−ＴＭ１．１５７
表面特性：ＭＩＵ０．３９１５、ＭＭＤ０．０２５９
官能評価：滑らかさ４．１、ふんわり感３．２、弾力感４．２、柔らかさ４．２
のものが記載されている。
　
　すると、刊行物１には、次の発明（以下「引用発明」という。）が開示されているものということができる。
「ダブルエンボス加工が施された２プライのトイレット用巻取衛生ロール紙であって、
　米坪１５．８ｇ／ｍ２、紙厚［２プライ］２３４μｍ、密度０．１３５ｇ／ｍ３、クレープ率２２．０％、引張り強さ［縦］２６４．０ＣＮ、引張り強さ［横］１０６．０ＣＮ、引張り強さの縦横比２．４９、紙管径３８ｍｍ、巻き長さ４０ｍ、ロール巻径１１３ｍｍ、ロール巻き密度０．８９９ｍ／ｍ２であり、
　エンボス深さは０．５４ｍｍで、頂面Ｐ，Ｐがトイレットペーパー１０ｍｍ四方にあたり約５０〜１３０個とするのが好適であるトイレット用巻取衛生ロール紙。」
　
（２）原査定の拒絶の理由に引用された、本願の優先日前に頒布された刊行物である特開２００４−２１８１５１号公報（以下、「刊行物２」という。）には、繊維ウエブへの薬液塗布方法および薬液塗布装置に関し、図面とともに、次の事項が記載されている。
　（ア）「【０００２】
【従来の技術】
ティッシュペーパーやトイレットペーパー等の家庭用薄葉紙に代表されるような繊維ウエブよりなる製品においては、吸湿性や柔軟性を付与するためにローション薬液等の薬液が塗布されたものが知られている。この繊維ウエブに薬液を塗布する方法としては、例えば繊維ウエブに薬液をスプレーしたり、繊維ウエブを薬液に浸漬したり、塗工ロールによって薬液を塗布したりする方法が採用されている。後者の塗工ロールによる方法としては、例えば下記特許文献１に示されるように、グラビア版ロールおよびオフセット塗工ロール（転写ロール）からなる塗布装置を繊維ウエブを挟んで対峙させた状態で配置した、所謂グラビア転写方式のローション薬液塗布装置により、繊維ウエブの両面にそれぞれ同時的にローション薬液を塗布する方法が記載されている。」
　（イ）「【０００７】
そこで、本発明の主たる課題は、原反ロールから繰り出される繊維ウエブの製品化過程において、高速下であって均一に薬液を塗布することができるとともに、繊維ウエブに薬液を迅速に含浸させ、しっとり感を早期に立ち上げできる繊維ウエブへの薬液塗布方法および薬液塗布装置を提供することにある。」
　（ウ）「【００２７】・・・前記薬液としては、一般的に使用されているものであればどのようなものであってもよい。具体的には、グリセリン、ジグリセリン、プロピレングリコール、１，３−ブチレングリコール、ポリエチレングリコール等の多価アルコール、ソルビトール、グルコース、キシリトール、マルトース、マルチトール、マンニトール、トレハロース等の糖類、グルコール系薬剤およびその誘導体、セタノール、ステアリルアルコール、オレイルアルコール等の高級アルコール、流動パラフィンなどの１種以上を任意の組合せで用いることができる。また、これにグリシン、アスパラギン酸、アルギニン、アラニン、シスチン、システィンなどのアミノ酸、アロエエキス、アマチャエキス、アシタバエキス、カリンエキス、キュウリエキス、スギナエキス、トマトエキス、ノバラエキス、ヘチマエキス、ユリエキス、レンゲソウエキスなどの植物抽出エキスや、オリーブ油、ホホバ油、ローズヒップ油、アーモンド油、ユーカリ油、アボカド油、ツバキ油、大豆油、サフラワー油、ゴマ油、月見草油等の植物油や、ビタミン、加水分解コラーゲン、加水分解ケラチン、加水分解シルク、キトサン、尿素、ハチミツ、ローヤルゼリー、ヒアルロン酸ナトリウム、セラミド、スクワラン、ワセリンなどを配合することができる。」
　
（３）原査定の拒絶の理由に引用された、本願の優先日前に頒布された刊行物である特開２００１−２６２４８９号公報（以下、「刊行物３」という。）には、柔軟性を有する繊維ウェブおよびその製造方法に関し、図面とともに、次の事項が記載されている。
　（ア）「【０００１】
【産業上の利用分野】本発明は、柔軟で、肌触り及びしっとり感の双方に優れる、柔軟性を有する繊維ウェブ、およびその製造方法に関する。・・・
【０００３】
【従来の技術】・・・
【０００５】しかし、この種の柔軟剤は化学合成品であるために、敏感な肌に対して、必ずしも適切とは言えない。また、柔軟性の発現を期待するあまり、逆に、紙粉が発生しやすい傾向を招き、吸水性が低下するなどの問題がある。
【０００６】そこで、例えば特開平５−１５６５９６号公報においては、吸湿性を有する塩類（塩化ナトリウム、塩化カルシウム、ピロリン酸カリウム、メタリン酸ナトリウム、ポリリン酸カリウム、ポリリン酸ナトリウム）と、吸湿性を有する多価アルコール及び糖類（グリセリン、Ｄ−ソルビット、マルチトール、還元麦芽糖水飴、還元澱粉加水分解物）と、保水性を有する糊料（アルギン酸ナトリウム、ポリアクリル酸ナトリウム、メチルセルロース、アルギン酸プロピレングリコールエステル、繊維素グリコール酸ナトリウム（ＣＭＣ）、繊維素グリコール酸カルシウム、澱粉グリコール酸ナトリウム、澱粉リン酸エステルナトリウム、カゼイン、カゼインナトリウム）とを含有する薬液を、不織布または紙に含浸させることを開示している。」
　（イ）「【０００８】
【発明が解決しようとする課題】しかしながら、かかる先行例では、滑らかさ（肌触り）及びしっとり感（湿潤感）ともに充分なものではなかった。
【０００９】したがって、本発明の主たる課題は、滑らかさ（肌触り）及びしっとり感（湿潤感）を向上させることにある。」
　（ウ）「【００１６】・・・また多価アルコール類の含有量がウェブ素材の乾燥重量に対して０．０１％未満であると、しっとり感を殆ど感じなくなり、逆に多すぎるとと、ねばつき感（べとつき感）を与えるようになる。・・・界面活性剤および多価アルコール類の含有量は、繊維ウェブ素材の乾燥重量に対してそれぞれ０．０１〜５０％とされる。より好適には界面活性剤および多価アルコール類の総含有量が０．０１〜３０％、特に０．１〜０．８％であるのが好ましい。」
　（エ）「【００３１】
【実施例】以下実施例により本発明の効果を明らかにする。円網抄紙機で薄葉紙を抄造し、これをドライヤーで乾燥させることにより乾燥状態のティシューを得た。このティシューに対して各種柔軟剤を水に溶かした液を噴霧付与し本発明に係るティシューペーパー（実施例１及び実施例２）を得た。さらに、これら実施例１及び２に係るティシューペーパーを用い、加熱乾燥前、加熱乾燥後における各種特性を評価した。また、柔軟剤未付与のティシューを比較例とした。
【００３２】各例の評価結果を柔軟剤含有量とともに、表１に示す。なお、表１中、官能評価は試験者が手触りで滑らか感及びしっとり感を確認して、◎…非常に良い、○…良い、△…普通の３段階で評価した。」
　
３．対比
（１）両発明の対応関係
(a)引用発明の「ダブルエンボス加工が施された２プライのトイレット用巻取衛生ロール紙」は、「クレープ率２２．０％」で、刊行物１記載事項（オ）の「２枚のエンボス付与原紙Ｔ’，Ｔ’を製造し、・・・重ねあわせ、その後ロール形態のトイレットロールＴRとすることで製造することができる。」ものであるので、本願発明の「クレープ原紙にエンボス加工を施してなるエンボス加工クレープ紙」に相当する。
(b)引用発明の「米坪１５．８ｇ／ｍ２」であることは、本願発明の「坪量が６〜２８ｇ／ｍ２」であることに相当し、以下同様に、
「エンボス深さは０．５４ｍｍ」であることは、「高低差０．０１〜３．００ｍｍ」であることに、
「頂面Ｐ，Ｐがトイレットペーパー１０ｍｍ四方にあたり約５０〜１３０個とする」ことは、「４〜２００個／ｃｍ２のエンボス形状」であることに相当する。
(c)引用発明の「密度０．１３５ｇ／ｍ３」であることと、本願発明の「２枚重ねで測定したときの見掛け密度（荷重下）が０．１３ｇ／ｃｍ３以下」であることとは、前者が「２プライのトイレット用巻取衛生ロール紙」のものであって、２枚重ねのものであるので、両者は「２枚重ねの密度が所定の値」であることで共通する。
(d)引用発明の「引張り強さ［縦］」は、本願発明の「縦方向の引張強さ」に相当し、
引用発明の「引張り強さ［縦］２６４．０ＣＮ」であること、本願発明の「縦方向の引張強さが裂断長に換算して０．１５〜１．５ｋｍ」であることとは、「縦方向の引張強さが所定の値」であることで共通する。
　
（２）両発明の一致点
「クレープ原紙にエンボス加工を施してなるエンボス加工クレープ紙であって、坪量が１５．８ｇ／ｍ２であり、かつ、高低差０　．５４ｍｍで約５０〜１３０個／ｃｍ２のエンボス形状を有し、２枚重ねの密度が所定の値、縦方向の引張強さが所定の値であるエンボス加工クレープ紙。」
　
（３）両発明の相違点
　ア．エンボス加工クレープ紙が、本願発明は「保湿成分をパルプ当たり１〜１００％含有」するのに対して、引用発明はそうでない点。
　イ．エンボス加工クレープ紙が、本願発明は「柔軟度が４０ｍＮ／１００ｍｍ以下」なのに対して、引用発明はそのようなものか不明な点。
　ウ．さらに、本願発明は、上記ア．イ．と共に、「坪量が６〜２８ｇ／ｍ２であり、かつ、高低差０．０１〜３．００ｍｍで４〜２００個／ｃｍ２のエンボス形状を有し」、「２枚重ねで測定したときの見掛け密度（荷重下）が０．１３ｇ／ｃｍ３以下」、「縦方向の引張強さが裂断長に換算して０．１５〜１．５ｋｍ」であるのに対して、引用発明は、「米坪１５．８ｇ／ｍ２、・・密度０．１３５ｇ／ｍ３、・・引張り強さ［縦］２６４．０ＣＮ、・・エンボス深さは０．５４ｍｍで、頂面Ｐ，Ｐがトイレットペーパー１０ｍｍ四方にあたり約５０〜１３０個とするのが好適である」ものの、それは、パルプ当たり１〜１００％の保湿成分を含有しない状態の値である点。
　
４．本願発明の容易推考性の検討
（１）相違点ア．〜ウ．について
(a)一般に紙の坪量、引張強さ等は、保湿成分を含有することで変化するものであるので、上記相違点ア．〜ウ．について、まとめて検討する。
(b)ティッシュペーパーやトイレットペーパー等の家庭用薄葉紙に保湿成分を含有してしっとり感を与えることは、刊行物２記載事項（ア）や、刊行物３記載事項（ア）に、従来の技術として記載されている様に、周知慣用技術であり、引用発明のトイレット用巻取衛生ロール紙に、適当な量の保湿成分を含有させて、しっとり感を付与することは、当業者が容易になし得る事項である。
　一方、(a)に記した紙の坪量、引張強さ、さらに、エンボスの形状等の紙質データは、保湿成分を含有することで変化するものと認識されるところ、引用発明のトイレット用巻取衛生ロール紙を「保湿成分をパルプ当たり１〜１００％含有」するものとして、その状態において「坪量が６〜２８ｇ／ｍ２であり、かつ、高低差０．０１〜３．００ｍｍで４〜２００個／ｃｍ２のエンボス形状を有し」、「２枚重ねで測定したときの見掛け密度（荷重下）が０．１３ｇ／ｃｍ３以下」、「縦方向の引張強さが裂断長に換算して０．１５〜１．５ｋｍ」であるものとすることは、刊行物１〜３のいずれにも、記載も示唆もされていない。
(c)本願発明は、当該構成を備えることによって、明細書記載の「【０００９】・・・微細なエンボス形状を明確に備え、嵩高で柔軟性に優れているとともに強度も十分にあり、ふんわり感としっとり感にも優れていて、脂分などの吸収性能にも優れたエンボス加工クレープ紙を提供する」ものと認められる。
　したがって、本願発明は、引用発明、刊行物１〜３記載の事項に基いて当業者が容易に発明をすることができたものとすることはできない。
　
５．むすび
　以上のとおり、原査定の拒絶理由を検討してもその理由によって拒絶すべきものとすることはできない。
　また、他に本願を拒絶すべき理由を発見しない。
　よって、結論のとおり審決する。